(57)【要約】      （修正有）【課題】ワイシャツの生地に負担をかけずに襟部を立った状態に維持する襟用保形具を提供する。【解決手段】襟用保形具を、ワイシャツの襟部３２の襟先３２ａを挟み込む挟持部と、この挟持部に括れ部４を介して連結されてボタンやボタン孔３４に係合する係合部６とから構成する。係合部６をボタンやボタン孔３４に係合するとともに挟持部２により襟部３２の襟先３２ａを挟持するだけだから、ワイシャツの生地に負担をかけることなく、ワイシャツの襟部３２を立った状態に保持することができる。【選択図】図４
0003164567.tif 000002
【実用新案登録請求の範囲】
【請求項１】
ワイシャツの襟部を立った状態に保持する襟用保形具であって、
ワイシャツのボタンまたは前記ワイシャツのボタン孔に係合可能な係合部と、
前記襟部の襟先を狭持可能な狭持部と、
を備える襟用保形具。
【請求項２】
前記挟持部と前記係合部とは、一体的に形成されてなる請求項１記載の襟用保形具。
【請求項３】
前記狭持部は、前記襟部の表面側から前記襟先を挟み込む第１片と、前記襟部の裏面側から前記襟先を挟み込む第２片とを備える請求項１または２記載の襟用保形具。
【請求項４】
請求項３記載の襟用保形具であって、
板状部材により形成されてなり、
前記狭持部は、前記板状部材の一部に略Ｖ字状または略Ｕ字状の切込みを入れることによって前記第１切片および前記第２切片を形成してなる
襟用保形具。
【請求項５】
請求項３記載の襟用保形具であって、
針金状部材により形成されてなり、
前記狭持部は、前記針金状部材を渦状に変形させることによって前記第１切片および前記第２切片を形成してなる
襟用保形具
【請求項６】
前記係合部は、前記ボタンおよび前記ボタン孔のいずれにも係合可能な形状に形成されてなる請求項１ないし５いずれか記載の襟用保形具。
【請求項７】
前記係合部は、前記狭持部に括れ部をもって連結されてなるとともに該括れ部を挟んで両側に張出す環状の張出し状部を有してなる請求項１ないし６いずれか記載の襟用保形具。
【請求項８】
前記第１片は、装飾が施されてなる請求項２ないし７いずれか記載の襟用保形具。
【考案の詳細な説明】
【技術分野】
【０００１】  本考案は、襟用保形具、詳しくは、ワイシャツの襟部を立った状態に保持する襟用保形具に関する。
【背景技術】
【０００２】  従来、この種の襟用保形具としては、内部にマグネットを有する一対の表面固定具および裏面固定具とを備え、磁力を利用して表面固定具と裏面固定具とでワイシャツの襟部分および前身ごろを挟むことによって、第１番目のボタンを外してワイシャツを着用した場合でも襟部が立った状態を維持できるようにしたものが提案されている（例えば、特許文献１参照）。この襟用保形具では、表面固定具に設けた固定具止めピンをワイシャツに刺し込むことにより、使用中に装着位置がずれるのを防止する。
【先行技術文献】
【０００３】
【特許文献１】実用新案登録第３１４４４５４号公報
【考案の概要】
【考案が解決しようとする課題】
【０００４】  しかしながら、上述の襟用保形具では、固定具止めピンをワイシャツに刺し込むため、ワイシャツに孔が開いてしまう。孔が開かないまでもワイシャツの生地を傷めてしまう。また、少なくとも２つのマグネットが必要であり、比較的コストがかかってしまう。【０００５】  本考案の襟用保形具は、ワイシャツの生地に負担をかけずに襟部を立った状態に維持することを主目的とする。
【課題を解決するための手段およびその作用・効果】
【０００６】  本考案の襟用保形具は、上述の主目的を達成するために以下の手段を採った。
【０００７】  本考案の襟用保形具は、
ワイシャツの襟部を立った状態に保持する襟用保形具であって、
ワイシャツのボタンまたは前記ワイシャツのボタン孔に係合可能な係合部と、
前記襟部の襟先を狭持可能な狭持部と、
を備えることを要旨とする。
【０００８】  この本考案の襟用保形具では、係合部をワイシャツのボタンあるいはワイシャツのボタン孔に係合した状態で、狭持部によりワイシャツの襟部の襟先を狭持するから、第１番目のボタンを外してワイシャツを着用した場合でも襟部を立った状態に保持することができる。しかも、ワイシャツのボタンやワイシャツのボタン孔を利用して装着位置がずれるのを防止するから、ワイシャツの生地に負担をかけることがない。
【０００９】  こうした本考案の襟用保形具において、前記挟持部と前記係合部とは、一体的に形成されてなるものとすることもできる。こうすれば、部品点数を削減することができる。この結果、コストを抑えることができる。
【００１０】  また、本考案の襟用保形具において、前記狭持部は、前記襟部の表面側から前記襟先を挟み込む第１片と、前記襟部の裏面側から前記襟先を挟み込む第２片とを備えるものとすることもできる。こうすれば、襟先を挟み込む構造を簡易に確保することができる。
【００１１】  第１片と第２片とにより襟先を挟み込む態様の本考案の襟用保形具において、板状部材により形成されてなり、前記狭持部は、前記板状部材の一部に略Ｖ字状または略Ｕ字状の切込みを入れることによって前記第１切片および前記第２切片を形成してなるものとすることもできるし、針金状部材により形成されてなり、前記狭持部は、前記針金状部材を渦状に変形させることによって前記第１切片および前記第２切片を形成してなるものとすることもできる。こうすれば、第１片と第２片とを簡易に確保することができる。
【００１２】  また、本考案の襟用保形具では、前記係合部は、前記ボタンおよび前記ボタン孔のいずれにも係合可能な形状に形成されてなるものとすることもできる。こうすれば、１種類の襟用保形具によりワイシャツの左右両襟部を立った状態に維持させることができる。この結果、比較的コストを抑えることができる。
【００１３】  さらに、本考案の襟用保形具では、前記係合部は、前記狭持部に括れ部をもって連結されてなるとともに該括れ部を挟んで両側に張出す環状の張出し状部を有してなるものとするおともできる。こうすれば、張出し状部の環状内側にワイシャツのボタンを挿入してボタンに係合することができるとともに、張出し状部をワイシャツのボタン孔に挿入して抜け止めをしながら係合することができる。ここで、係合部に括れ部を設けることによりワイシャツのボタン孔に張出し状部を挿入しやすいものとなる。
【００１４】  本考案の襟用保形具は、前記第１片は、装飾が施されてなるものとすることもできる。こうすれば、装飾性の向上を図ることができる。
【図面の簡単な説明】
【００１５】
【図１】本考案の一実施例である襟用保形具１の外観を示す外観図である。
【図２】一対の襟用保形具１，１によってワイシャツ３０の襟部３２を立った状態に維持した様子を示す説明図である。
【図３】係合部６をワイシャツ３０のボタン孔３４に係合する際の様子を示す説明図である。
【図４】襟用保形具１によってワイシャツ３０のボタン孔３４側の襟部３２を立った状態に維持した様子を拡大して示す拡大説明図である。
【図５】係合部６をワイシャツ３０のボタン３５に係合する際の様子を示す説明図である。
【図６】係合部６をワイシャツ３０のボタン３５に係合する際の様子を示す説明図である。
【図７】襟用保形具１によってワイシャツ３０のボタン３５側の襟部３２を立った状態に維持した様子を拡大して示す拡大説明図である。
【図８】変形例の襟用保形具１０１の外観を示す外観図である。
【図９】変形例の襟用保形具１０１’の外観を示す外観図である。
【図１０】変形例の襟用保形具２０１の外観を示す外観図である。
【図１１】変形例の襟用保形具３０１の外観を示す外観図である。
【考案を実施するための最良の形態】
【００１６】  次に、本考案を実施するための最良の形態を実施例を用いて説明する。
【実施例】
【００１７】  図１は、本考案の一実施例である襟用保形具１の外観を示す外観図である。実施例の襟用保形具１は、図示するように、ほぼ二等辺三角形状をした狭持部２と、狭持部２に括れ部４を介して連結された係合部６とから構成されており、例えば、バネ鋼のような金属板をプレスにより打ち抜くことにより成形されたものである。【００１８】  狭持部２には、両斜辺２ａ，２ａに沿ってほぼＶ字状の切込み２ｂが形成されており、切込み２ｂを境に、内側に舌状片１２が形成され、外側に環状片１４が形成される。舌状片１２には、例えば、ラインストーン、宝石、ペインティングや彫刻などによる模様、マークなどの装飾が施されている。実施例では、ラインストーン５０により装飾されるものとした。【００１９】  係合部６は、狭持部２の底辺２ｃのほぼ中央において狭持部２に連結する括れ部４と、括れ部４を挟んで狭持部２の長手方向（高さ方向、図１の上下方向）に対して直角な方向（図１の左右方向）に同じ長さだけ張り出した張出し部２２，２２とから構成されている。係合部６は、張出し部２２，２２によって、狭持部２の長手方向に対して直角な方向を長手方向とするほぼ長方形として形成されており、内部に開口２２ａを有する。係合部６には、括れ部４に対向する位置に、狭持部２とは反対側である外側へ膨出する膨出部２４が形成されている。なお、係合部６の長手方向（横辺）の長さはワイシャツ３０のボタン孔３４の長手方向長さよりも若干短めに形成されており、開口２２ａの長手方向（横辺）の長さはワイシャツのボタン３５の直径よりもやや大きめに形成されている。また、係合部６の長手方向に対して直角な方向（縦辺）の最大長さ（係合部６の括れ部４側の横辺から膨出部２４までの長さ）はワイシャツ３０のボタン孔３４の長手方向長さよりも短く形成されており、開口２２ａの長手方向に対して直角な方向（縦辺）の長さ（膨出部２４までを含む）はワイシャツ３０のボタン３５の半径とほぼ同じ寸法に形成されている。【００２０】  次に、こうして構成された実施例の襟用保形具１によってワイシャツ３０の襟部３２を立った状態に維持する際の様子について説明する。図２は一対の襟用保形具１，１によってワイシャツ３０の襟部３２を立った状態に維持した様子を示す説明図であり、図３は係合部６をワイシャツ３０のボタン孔３４に係合する際の様子を示す説明図であり、図４は襟用保形具１によってワイシャツ３０のボタン孔３４側の襟部３２を立った状態に維持した様子を拡大して示す拡大説明図であり、図５および図６は係合部６をワイシャツ３０のボタン３５に係合する際の様子を示す説明図であり、図７は襟用保形具１によってワイシャツ３０のボタン３５側の襟部３２を立った状態に維持した様子を拡大して示す拡大説明図である。【００２１】  まず、ワイシャツ３０のボタン孔３４側の襟部３２を立った状態に維持する場合について説明する。図３に示すように、襟用保形具１の係合部６を、一方の縦辺側からワイシャツ３０のボタン孔３４に括れ部４が突き当たるまで挿入し、括れ部４を支点に括れ部４を利用しながら襟用保形具１を時計方向（図３の矢印方向）に回転しながら、係合部６をボタン孔３４内に完全に挿入する。ここで、係合部��の長手方向（横辺）の長さをワイシャツ３０のボタン孔３４の長手方向長さよりも若干短めに形成するとともに、係合部６の長手方向に対して直角な方向（縦辺）の最大長さ（係合部６の括れ部４側の横辺から膨出部２４までの長さ）をワイシャツ３０のボタン孔３４の長手方向長さよりも短く形成しているから、係合部６をワイシャツ３０のボタン孔３４にスムーズに係合することができる。また、係合部６をボタン孔３４に係合した際には、係合部６の長手方向（横辺方向）とボタン孔３４の長手方向とが直角となるから、襟用保形具１がボタン孔３４から抜け落ちるのを防止できる。そして、図４に示すように、狭持部２の舌状片１２と環状片１４とでワイシャツ３０の襟部３２の襟先３２ａを挟み込む。これにより、図２および図４に示すように、ワイシャツ３０の前身ごろ３６と襟部３２とが接近した状態、即ち、ワイシャツ３０の襟部３２を立った状態に維持することができる。【００２２】  次に、ワイシャツ３０のボタン３５側の襟部３２を立った状態に維持する場合について説明する。図５および図６に示すように、襟用保形具１の係合部６の開口２２ａをワイシャツのボタン３５の側方から膨出部２４がボタン３５をワイシャツ３０に縫い止めしている縫い止め糸６０に当接するまで挿入し、襟用保形具１を膨出部３４を支点として図６の矢印方向に倒すように回転させながら開口２２ａ内にボタン３５が完全に挿入する。このとき、係合部６の膨出部２４が縫い止め糸６０に係合するから、係合部６がボタン３５に対して装着ずれや抜けが起こるのを防止できる。そして、図７に示すように、狭持部２の舌状片１２と環状片１４とでワイシャツ３０の襟部３２の襟先３２ａを挟み込む。これにより、図２および図７に示すように、ワイシャツ３０の前身ごろ３６と襟部３２とが接近した状態、即ち、ワイシャツ３０の襟部３２を立った状態に維持することができる。【００２３】  以上説明した実施例の襟用保形具１によれば、係合部６をボタン３５やボタン孔３４に係合するとともに挟持部２により襟部３２の襟先３２ａを挟持するから、ワイシャツ３０の生地に負担をかけることなく、第１番目のボタンを外してワイシャツ３０を着用した場合でも襟部３２を立った状態に保持することができる。また、挟持部２および係合部６をプレスにより一体的に形成するから、部品点数を抑えながら簡易に確保でき、かつ、コストも抑えることができる。しかも、同形状、即ち、１種類の襟用保形具１，１により左右両襟部３２，３２を立った状態に維持することができるから、コストを比較的抑えることができる。【００２４】  また、実施例の襟用保形具１によれば、挟持部２の舌状片１２にラインストーン５０を取り付けるから、装飾性の向上を図ることができる。【００２５】  実施例の襟用保形具１では、係合部６の長手方向（横辺）の長さは、ワイシャツ３０のボタン孔３４の長手方向長さよりも若干短めに形成するものとしたが、係合部６をボタン孔３４内に完全に挿入できれば良く、係合部６の長手方向（横辺）の長さは、括れ部４から各張出し部２２，２２の長手方向端部までの長さがボタン孔３４の長手方向長さよりも短いものであれば如何なる長さであっても差し支えない。【００２６】  実���例の襟用保形具１では、バネ鋼のような金属板をプレスにより打ち抜くことにより成形するものとしたが、材質としてシルバー（銀）やゴールドの（金）、プラチナ（白金）などを用いるものとしても良い。こうすれば、装飾性がより向上する。【００２７】  実施例の襟用保形具１では、バネ鋼のような金属板をプレスにより打ち抜くことにより成形するものとしたが、図８に例示する変形例の襟用保形具１０１のように、針金等を細工することにより形成するものとしても良い。この場合、一本の針金を数字の「８」の字状に変形させることにより、挟持部１０２の最外形、即ち、環状片１１４と、係合部１０６とを形成し、その後、針金を渦巻き状に変形することにより舌状片１１２を形成するものとすれば良い。なお、括れ部１０４は、針金を数字の「８」の字状に変形する際に交差する部分により形成される。また、膨出部１２４は、係合部１０６を形成する際に、同時に形成しておけば良い。また、襟用保形具１０１を、括れ部１０４を中心に狭持部１０２を係合部１０６に対して少なくとも１回転捻ることにより、図９に例示する変形例の襟用保形具１０１’のように形成するものとしても構わない。即ち、襟用保形具１０１の括れ部１０４よりも括れがより明確となる括れ部１０４’を形成するものとしても構わない。こうすれば、括れ部１０４’がより明確なものとなるから、襟用保形具１０１と比較して、係合部１０６をボタン孔３４により挿入し易いものとなる。【００２８】  実施例の襟用保形具１では、挟持部２と係合部６とを一体的に形成するものとしたが、図１０に例示する変形例の襟用保形具２０１のように、挟持部２０２と係合部２０６とは、それぞれ別体に形成して、括れ部としてのチェーン２７０などの連結部品により連結するものとしても構わない。この場合、チェーン２７０などの連結部品の長さは調節可能なものとしても良い。こうすれば、襟用保形具２０１のワイシャツ３０への脱着がし易いものとなるとともに、襟部３２の状態を適度に調節することができる。【００２９】  実施例の襟用保形具１では、金属板を用いて板状に形成するものとしたが、図１１に例示する変形例の襟用保形具３０１のように構成するものとしても構わない。即ち、変形例の襟用保形具３０１は、挟持部３０２の形状が異なる点を除いて実施例の襟用保形具１と同一の構成をしている。変形例の襟用保形具３０１の挟持部３０２は、図示するように、金属板をほぼＵ字状に折り曲げられて、括れ部３０４に連続して接続されたベース部３０２Ｂと、ベース部３０２Ｂから折り返された折返し部３０２Ｒとから構成されている。折返し部３０２Ｒには、ほぼＵ字状の切込み３０２ｂが形成されており、切込み３０２ｂを境に、内側に舌状片３１２が形成され、外側に環状片３１４が形成される。舌状片３１２は、実施例と同様、ラインストーン５０により装飾されるものとした。こうした変形例の襟用保形具３０１によれば、係合部３０６をワイシャツ３０のボタン孔３４やボタン３５に係合し、挟持部３０２により襟部３２の襟先３２ａを挟み込んだ際に、前身ごろ３６と襟部３２との間に適度な空間を確保するから、襟部３２の立ち具合を適度に調節することができる。【００３０】  以上、本考案��実施するための最良の形態について実施例を用いて説明したが、本考案はこうした実施例に何等限定されるものではなく、本考案の要旨を逸脱しない範囲内において、種々なる形態で実施し得ることは勿論である。
【産業上の利用可能性】
【００３１】  本考案は、ワイシャツやポロワイシャツなどの衣料産業やアクセサリーなどの装飾産業などに利用可能である。
【符号の説明】
【００３２】１，１０１，２０１，３０１  襟用保形具
２，１０２，２０２，３０２  挟持部
２ａ，１０２ａ，２０２ａ  斜辺
２ｂ，２０２ｂ，３０２ｂ  切込み
２ｃ，２０２ｃ  底辺
４，１０４，３０４  括れ部
６，１０６，２０６  係合部
１２，１１２，２１２，３１２  舌状片
１４，１１４，２１４，３１４  環状片
２２，１２２，２２２  張出し部
２２ａ，１２２ａ，２２２ａ  開口部
２４，１２４，２２４  膨出部
３０  ワイシャツ、３２  襟部
３２ａ  襟先、３４  ボタン孔
３５  ボタン、３６  前身ごろ
５０  ラインストーン
６０  縫い止め部
２７０  チェーン
３０２Ｂ  ベース部
３０２Ｒ  折返し部
【図１】
0003164567.tif 000003
【図２】
0003164567.tif 000004
【図３】
0003164567.tif 000005
【図４】
0003164567.tif 000006
【図５】
0003164567.tif 000007
【図６】
0003164567.tif 000008
【図７】
0003164567.tif 000009
【図８】
0003164567.tif 000010
【図９】
0003164567.tif 000011
【図１０】
0003164567.tif 000012
【図１１】
0003164567.tif 000013